(57)【要約】【課題】  本発明の目的は、フィルター効果が最も大きい画像を確実に取得することができる撮像装置を提供することである。【解決手段】  本発明の撮像装置（１１〜２６）は、撮影レンズ（１１）からの被写界光を撮影して撮影画像を取得する撮影手段（２２）と、被写界光の撮影光路に設けられ、撮影画像に対するフィルター効果の度合いを制御可能なフィルター（１７，１８）とを備え、撮影手段は（２２）、フィルター（１７，１８）を制御して、その効果の度合いを変えながら撮影を行い、フィルター効果が異なる複数枚の撮影画像を取得する。【選択図】  図１
2009232347.tif 000002
【特許請求の範囲】
【請求項１】
撮影レンズからの被写界光を撮影して撮影画像を取得する撮影手段と、
前記被写界光の撮影光路に設けられ、前記撮影画像に対するフィルター効果の度合いを制御可能なフィルターと
を備えた撮像装置であって、
前記撮影手段は、前記フィルターを制御して前記効果の度合いを変えながら撮影を行い、前記効果が異なる複数枚の撮影画像を取得する
ことを特徴とする撮像装置。
【請求項２】
請求項１に記載の撮像装置において、
前記撮影手段により取得された複数枚の撮影画像の中から、前記効果が最も大きい撮影画像を識別して選択する識別手段を備え、
前記撮影手段は、前記効果の度合いが、前記識別手段により選択された撮影画像を取得したときと同一となるように前記フィルターを制御して、撮影を行う
ことを特徴とする撮像装置。
【請求項３】
請求項１に記載の撮像装置において、
前記撮影手段により取得された複数枚の撮影画像を使用して画像合成を行う画像処理手段を更に備える
ことを特徴とする撮像装置。
【請求項４】
請求項３に記載の撮像装置において、
前記画像処理手段は、前記複数枚の撮影画像を使用して、被写体のフィルター効果が最も大きくなるように画像合成を行う
ことを特徴とする撮像装置。
【請求項５】
請求項３に記載の撮像装置において、
前記画像処理手段は、前記複数枚の撮影画像を使用して、前記複数枚の撮影画像とは異なるフィルター効果を有する画像を生成するように画像合成を行う
ことを特徴とする撮像装置。
【請求項６】
請求項１に記載の撮像装置において、
前記撮影手段により取得された複数枚の撮影画像を使用して画像合成を行う画像処理手段を更に備え、
前記フィルターは、前記撮影光路に挿抜可能に設けられ、
前記撮影手段は、前記フィルターを前記撮影光路に挿入した状態と抜出した状態とに制御して、それらの状態毎に撮影を行い、
前記画像処理手段は、前記撮影手段により取得された２つの状態の撮影画像を使用して画像合成を行う
ことを特徴とする撮像装置。
【発明の詳細な説明】
【技術分野】
【０００１】
本発明は、画像に対する効果の度合いを変化させることが可能なフィルターを備えた撮像装置に関する。
【背景技術】
【０００２】
カメラに内蔵したフィルターにより、カメラの入射光量を調節したり色補正を行う技術が従来から数多く提案されている。
【０００３】
この従来技術の一例として、例えば、特許文献１には、内蔵したフィルターの透過率を電気的に変えることによりフィルターを通過する被写界光の光量を変化させて、カメラの入射光量の調節と色補正を行う技術が開示されている。
【特許文献１】特開平６−９０４０３号公報
【発明の開示】
【発明が解決しようとする課題】
【０００４】
しかしながら、従来技術では、カメラ内蔵のフィルターにより入射光量の調節や色補正を行うことはできるが、フィルターの効果が最も大きい画像を確実に取得することはできなかった。また、そのための手法は、これまで提案されていなかった。
【０００５】
本発明は、上記従来技術の課題を解決するためのものである。本発明の目的は、フィルター効果が最も大きい画像を確実に取得することができる撮像装置を提供することである。
【課題を解決するための手段】
【０００６】
第１の発明の撮像装置は、撮影レンズからの被写界光を撮影して撮影画像を取得する撮影手段と、被写界光の撮影光路に設けられ、撮影画像に対するフィルター効果の度合いを制御可能なフィルターとを備え、撮影手段は、フィルターを制御して、その効果の度合いを変えながら撮影を行い、フィルター効果が異なる複数枚の撮影画像を取得する。
【０００７】
第２の発明は、第１の発明において、撮影手段により取得された複数枚の撮影画像の中から、フィルター効果が最も大きい撮影画像を識別して選択する識別手段を備え、撮影手段は、フィルター効果の度合いが、識別手段により選択された撮影画像を取得したときと同一となるようにフィルターを制御して、撮影を行う。
【０００８】
第３の発明は、第１の発明において、撮影手段により取得された複数枚の撮影画像を使用して画像合成を行う画像処理手段を更に備える。
【０００９】
第４の発明は、第３の発明において、画像処理手段は、複数枚の撮影画像を使用して、被写体のフィルター効果が最も大きくなるように画像合成を行う。
【００１０】
第５の発明は、第３の発明において、画像処理手段は、複数枚の撮影画像を使用して、それら複数枚の撮影画像とは異なるフィルター効果を有する画像を生成するように画像合成を行う。
【００１１】
第６の発明は、第１の発明において、撮影手段により取得された複数枚の撮影画像を使用して画像合成を行う画像処理手段を更に備え、またフィルターは、撮影光路に挿抜可能に設けられ、撮影手段は、フィルターを撮影光路に挿入した状態と抜出した状態とに制御して、それらの状態毎に撮影を行い、画像処理手段は、撮影手段により取得された２つの状態の撮影画像を使用して画像合成を行う。
【発明の効果】
【００１２】
本発明では、フィルター効果の度合いを変えながら撮影が行われて、その効果が異なる複数枚の撮影画像が取得されるので、本発明を利用すれば、フィルターの効果が最も大きい画像を確実に取得することが可能になる。
【発明を実施するための最良の形態】
【００１３】
（第１実施形態）
以下、本発明の第１実施形態を説明する。本実施形態は、デジタルカメラの実施形態である。
【００１４】
図１は、本実施形態のデジタルカメラのブロック図である。
【００１５】
デジタルカメラは、撮影レンズ１１およびレンズ駆動部１２と、絞り１３と、撮像素子１４と、アナログ信号処理部１５と、タイミングジェネレータ（ＴＧ）１６と、フィルター１７およびフィルター駆動部１８と、バッファメモリ１９と、画像処理部２０と、圧縮／復号部２１と、制御部２２と、モニタ２３と、記録媒体２４と、操作部２５と、バス２６とを有している。ここで、バッファメモリ１９、画像処理部２０、圧縮／復号部２１、制御部２２、モニタ２３、記録媒体２４は、バス２６を介して接続されている。また、レンズ駆動部１２、絞り１３、アナログ信号処理部１５、ＴＧ１６、フィルター駆動部１８、操作部２５は、それぞれ制御部２２に接続されている。
【００１６】
撮影レンズ１１は、フォーカスレンズやズームレンズを含む複数のレンズ群で構成されている。なお、簡単のため、図１では撮影レンズ１１を１枚のレンズとして図示している。
【００１７】
レンズ駆動部１２は、制御部２２の指示に応じてレンズ駆動信号を発生し、撮影レンズ１１を光軸方向に移動させてフォーカス調整やズーム調整を行うと共に、撮影レンズ１１を通過した光束による被写体像を撮像素子１４の受光面に形成する。
【００１８】
絞り１３は、制御部２２の指示に応じてその開口量を調整することで、撮像素子１４の受光面に到達する光束の光量を調整する。
【００１９】
撮像素子１４は、ＣＣＤ型やＣＭＯＳ型のエリアイメージセンサであり、撮影レンズ１１の像空間側に配置されている。撮像素子１４は、受光面に形成された被写体像を光電変換してアナログ画像信号を生成する。この撮像素子１４の出力はアナログ信号処理部１５に接続されている。
【００２０】
アナログ信号処理部１５は、制御部２２の指示に応じて、撮像素子１４から出力されたアナログ画像信号に対し、ＣＤＳ（相関二重サンプリング）、ゲイン調整、Ａ／Ｄ変換などのアナログ信号処理を施すと共に、処理後の画像信号を出力する。なお、アナログ信号処理部１５の出力はバッファメモリ１９に接続されている。
【００２１】
また、アナログ信号処理部１５は、制御部２２の指示に基づいてゲイン調整の調整量を設定し、それによってＩＳＯ感度に相当する撮影感度の調整を行う。
【００２２】
ＴＧ１６は、制御部２２の指示に基づき撮像素子１４およびアナログ信号処理部１５に対してタイミングパルスを供給する。撮像素子１４およびアナログ信号処理部１５の駆動タイミングはそのタイミングパルスによって制御される。
【００２３】
フィルター１７は、撮影画像に対する効果の度合いを変化させることが可能なフィルターである。なお、本実施形態においては、フィルター１７を、例えば、３０度、６０度、９０度などの回転量で回転させることによって、その効果の度合いを変えることができる。この回転の制御は、フィルター駆動部１８が制御部２２の指示に基づいて行う。
【００２４】
また、フィルター１７は、被写界光の撮影光路に挿抜可能に設けられており、フィルター駆動部１８が制御部２２の指示に基づきその挿抜を制御することによって、撮影画像に対するフィルター効果の有無を変更することができる。例えば、フィルター１７の挿抜をバネの伸縮によって行う場合は、フィルター１７の撮影光路への挿入は、制御部２２の指示に基づきフィルター駆動部１８がバネを伸ばすように制御することによって行われる（図２）。一方、フィルター１７の撮影光路からの抜出は、制御部２２の指示に基づきフィルター駆動部１８がバネを縮めるように制御することによって行われる（図３）。
【００２５】
フィルター１７は、偏光フィルターやクロスフィルターや任意の分光透過率を有したフィルターなどである。
【００２６】
バッファメモリ１９は、アナログ信号処理部１５から出力される画像信号を画像データとして一時的に記憶する。また、バッファメモリ１９は、制御部２２による処理の過程で作成された画像データを一時的に記憶する。
【００２７】
画像処理部２０は、制御部２２の指示に応じて、撮影画像等の画像データに対し、ホワイトバランス調整、色分離（補間）、ガンマ補正などの画像処理を施す。なお、画像処理部２０は、ＡＳＩＣなどとして構成される。
【００２８】
圧縮／復号部２１は、制御部２２の指示に応じて、撮影画像等の画像データに対して圧縮処理を施す。なお、圧縮処理は、ＪＰＥＧ（Joint Photographic Experts Group）形式などによって行われる。
【００２９】
モニタ２３は、デジタルカメラ筐体の背面などに設けられたＬＣＤモニタや、接眼部を備えた電子ファインダなどであり、制御部２２の指示に応じて、撮影画像などの各種の画像やデジタルカメラが必要とする情報をユーザーに入力させるためのＧＵＩ画面等を表示する。
【００３０】
記録媒体２４には、制御部２２によって、撮影画像の画像データ等が記録される。なお、記録媒体２４は、半導体メモリを内蔵したメモリカードや、小型のハードディスクなどである。
【００３１】
操作部２５は、各種のモード設定釦、レリーズ釦などの操作部材を含み、ユーザーによる部材操作の内容に応じた操作信号を制御部２２に送る。
【００３２】
制御部２２は、操作部２５から送られた操作信号に応じてデジタルカメラの各部を統括制御する。例えば、デジタルカメラが撮影モードに設定されると、制御部２２は、レンズ駆動部１２、絞り１３、アナログ信号処理部１５およびＴＧ１６を駆動してスルー画像の撮影を開始する。このとき、撮像素子１４はドラフトモード（間引き読み出しモード）で駆動され、スルー画像の画像データがアナログ信号処理部１５を介してバッファメモリ１９へ順次記録される。制御部２２は、そのスルー画像の画像データを基に、レンズ駆動部１２と協働して撮影レンズ１１の焦点調節制御（ＡＦ）を行う。また制御部２２は、不図示の測光部を駆動して、バッファメモリ１９のスルー画像の画像データを基に撮影シーンの評価値を算出させると、その評価値に基づきアナログ信号処理部１５などの設定内容を調整する。
【００３３】
撮影時、制御部２２は、測光部（不図示）が算出した評価値に基づき撮影条件（ストロボ発光の有無、絞り値、シャッター速度など）を決定すると共に、その決定した撮影条件の下でレンズ駆動部１２、絞り１３、アナログ信号処理部１５およびＴＧ１６を駆動して撮影を行う。このとき、撮像素子１４はフレームモード（全画素読み出しモード）で駆動され、撮影された撮影画像の画像データがアナログ信号処理部１５を介してバッファメモリ１９へ記録される。この記録の後、制御部２２は、画像処理部２０および圧縮／復号部２１を駆動して、バッファメモリ１９に記録された撮影画像の画像データに対し画像処理および圧縮処理を施すと共に、それら処理後の画像データを記録媒体２４へ記録する。
【００３４】
以下、本実施形態のデジタルカメラが行うフィルター撮影の動作を、図４の流れ図を参照して説明する。図４は、例えば、ユーザーがデジタルカメラのモードを「フィルター撮影モード」に設定した場合に実行されるフローである。
【００３５】
ステップ１０１：制御部２２は、フィルター駆動部１８を駆動して、フィルター１７を撮影光路に挿入した状態にすると共に、その回転量を初期値（例えば０「ゼロ」度など）とするようにフィルター１７の回転を制御する。
【００３６】
ステップ１０２：制御部２２は、レリーズ釦が半押しされたか否かを判別し、半押しされた場合はステップ１０３へ移行する（Ｙｅｓ側）。一方、半押しされていない場合には、制御部２２は本ステップ１０２の処理を繰り返す（Ｎｏ側）。
【００３７】
ステップ１０３：制御部２２は、不図示の測光部が算出した評価値に基づき決定した撮影条件の下で撮影を行う。この撮影により取得された撮影画像の画像データはバッファメモリ１９に記録される。
【００３８】
ステップ１０４：制御部２２は、今回の撮影により取得された撮影画像と現在のフィルター１７の回転量の情報とを関連づけて不図示のメモリへ記録する。
【００３９】
ステップ１０５：制御部２２は、撮影を所定回数実施したか否かを判定する。ここで、フィルター１７が、例えば、０度、３０度、６０度、９０度の回転量で回転させることにより撮影画像に対するフィルター効果の度合いを４段階に変化させることが可能なフィルターであれば、所定回数を４回にするとよい。
【００４０】
制御部２２は、撮影を所定回数実施していない場合にはステップ１０６へ移行し（Ｎｏ側）、一方、撮影を所定回数実施した場合はステップ１０７へ移行する（Ｙｅｓ側）。
【００４１】
ステップ１０６：制御部２２は、フィルター効果の度合いを変更するために、フィルター駆動部１８を駆動してフィルター１７を回転させる。そして、制御部２２は、次の撮影を実施するために、ステップ１０３へ移行する。
【００４２】
ステップ１０７：制御部２２は、上述した所定回数の撮影の実施により不図示のメモリに記録された複数枚の撮影画像の中から、フィルターの効果が最も大きいものを識別して選択する。
【００４３】
なお、ここでの識別は、基本的にユーザーに行わせるものであるが、自動的に識別することが可能な場合には制御部２２が行うようにしてもよい。識別を自動的に行えるケースとしては、例えば、フィルター１７に偏光フィルタを用いて、水上から水中の魚などの被写体を撮影した場合などが挙げられる。その場合、制御部２２は、空間周波数成分を解析するなどして、複数枚の撮影画像の中から水面による光の反射が最も抑えられたものを識別し、それをフィルター効果の最も大きい撮影画像として選択するとよい。
【００４４】
一方、ユーザーに識別させる場合、制御部２２は、例えば、各撮影画像の内容をＬＣＤモニタなどに表示させ、その表示により、フィルターの効果が最も大きい撮影画像を複数枚の中からユーザーに識別させて選択させるようにする。このとき、その選択は、撮影画像とともに表示させた画像選択用のＧＵＩを通して行えるようにし、そして制御部２２は、同ＧＵＩを通してユーザーが選択した撮影画像を、フィルターの効果が最も大きいものとして選択するようにする。
【００４５】
ステップ１０８：制御部２２は、選択したフィルター効果の最も大きい撮影画像に関連づけられているフィルター１７の回転量の情報を、不図示のメモリから取得する。そして、制御部２２は、取得した回転量の情報に基づき、フィルター駆動部１８を駆動して、フィルター１７を回転させる。
【００４６】
制御部２２は、このように、フィルターの効果が最も大きい撮影画像を取得したときと効果の度合いが同一となるようにフィルター１７の回転を制御する。
【００４７】
ステップ１０９：制御部２２は、レリーズ釦が全押しされたか否かを判別し、全押しされた場合はステップ１１０へ移行する（Ｙｅｓ側）。一方、全押しされていない場合には、制御部２２は本ステップ１０９の処理を繰り返す（Ｎｏ側）。
【００４８】
ステップ１１０：制御部２２は、不図示の測光部が算出した評価値に基づき決定した撮影条件の下で撮影を行う。この撮影により取得された撮影画像の画像データはバッファメモリ１９に記録される。
【００４９】
また、制御部２２は、画像処理部２０を駆動して、バッファメモリ１９の撮影画像の画像データに対し、必要な画像処理を施す。
【００５０】
ステップ１１１：制御部２２は、モニタ２３を駆動して、画像処理後の撮影画像をＬＣＤモニタ等に表示させる。これにより、ユーザーは、撮影画像の出来映えを確認することができる。
【００５１】
ステップ１１２：制御部２２は、圧縮／復号部２１を駆動して、バッファメモリ１９の撮影画像の画像データに対して圧縮処理を施させる。そして、制御部２２は、圧縮処理後の撮影画像の画像データを、現在のフィルター１７の回転量の情報と共に、記録媒体２４へ画像ファイルとして記録する。なお、画像ファイルがＥｘｉｆ規格の形式に基づくものであれば、フィルター１７の回転量の情報は、画像ファイルのメーカーノート（ＭａｋｅｒＮｏｔｅ）タグの情報として記録される。
【００５２】
（第１実施形態の作用効果）
以上、第１実施形態のデジタルカメラでは、フィルター効果の度合いを変えながら撮影が行われ、その効果が異なる複数枚の撮影画像が取得される。そして、それら複数枚の撮影画像の中からフィルター効果が最も大きい撮影画像が選択され、当該撮影画像が取得されたときとフィルター効果の度合いが同一となるようにフィルター１７の回転が制御されて、本番の撮影が行われる。
【００５３】
この場合、本番の撮影により取得される撮影画像は、フィルター効果が最も大きいものとなる。
【００５４】
したがって、第１実施形態のデジタルカメラによれば、フィルターの効果が最も大きい画像を確実に取得することが可能になる。
【００５５】
（第２実施形態）
以下、本発明の第２実施形態を説明する。本実施形態も、デジタルカメラの実施形態である。なお、以下の説明では、第１実施形態と共通するデジタルカメラの構成要素については同一符号を付して重複説明を省略する。
【００５６】
第１実施形態では、フィルター撮影を実施するときに図４のフローを実行したが、第２実施形態では、図５のフローを実行する。また、第２実施形態では、図５のフローの実行により取得されるフィルター効果の異なる複数枚の撮影画像を使用して、さらに図６のフローを実行することにより画像合成を行う。
【００５７】
先ず、図５の流れ図を参照して、本実施形態のデジタルカメラが行うフィルター撮影の動作を説明する。図５のフローは、例えば、ユーザーがデジタルカメラのモードを「フィルター撮影モード」に設定した場合に実行される。
【００５８】
ステップ２０１：制御部２２は、フィルター駆動部１８を駆動して、フィルター１７を撮影光路に挿入した状態にすると共に、その回転量を初期値（例えば０「ゼロ」度など）とするようにフィルター１７の回転を制御する。
【００５９】
ステップ２０２：制御部２２は、レリーズ釦が全押しされたか否かを判別し、全押しされた場合はステップ２０３へ移行する（Ｙｅｓ側）。一方、全押しされていない場合には、制御部２２は本ステップ２０２の処理を繰り返す（Ｎｏ側）。
【００６０】
ステップ２０３：制御部２２は、不図示の測光部が算出した評価値に基づき決定した撮影条件の下で撮影を行う。この撮影により取得された撮影画像の画像データはバッファメモリ１９に記録される。
【００６１】
ステップ２０４：制御部２２は、今回の撮影により取得された撮影画像と現在のフィルター１７の回転量の情報とを関連づけて不図示のメモリへ記録する。
【００６２】
ステップ２０５：制御部２２は、撮影を所定回数実施したか否かを判定する。
【００６３】
制御部２２は、撮影を所定回数実施していない場合にはステップ２０６へ移行し（Ｎｏ側）、一方、撮影を所定回数実施した場合はステップ２０７へ移行する（Ｙｅｓ側）。
【００６４】
ステップ２０６：制御部２２は、フィルター効果の度合いを変更するために、フィルター駆動部１８を駆動してフィルター１７を回転させる。そして、制御部２２は、次の撮影を実施するために、ステップ２０３へ移行する。
【００６５】
ステップ２０７：制御部２２は、上述した所定回数の撮影の実施により不図示のメモリに記録された複数枚の撮影画像の画像データを、それぞれ関連づけられているフィルター１７の回転量の情報（不図示のメモリから取得する）と共に、記録媒体２４へ画像ファイルとして記録する。なお、画像ファイルがＥｘｉｆ規格の形式に基づくものであれば、フィルター１７の回転量の情報は、画像ファイルのメーカーノート（ＭａｋｅｒＮｏｔｅ）タグの情報として記録される。
【００６６】
次に、図６の流れ図を参照して、本実施形態のデジタルカメラが行う画像合成の動作を説明する。図６のフローは、例えば、ユーザーがデジタルカメラのモードを「画像合成モード」に設定した場合に実行される。
【００６７】
ステップ３０１：制御部２２は、記録媒体２４にアクセスして、合成に使用する画像、即ち、図５のフィルター撮影により取得された撮影画像を、画像に関連づけられたフィルター１７の回転量の情報と共に不図示のメモリへ読み込む。なお、ここでは、図５のフィルター撮影により取得された全ての撮影画像を読み込んでもよく、ＧＵＩ画面などを通してユーザーに指定させた撮影画像だけを読み込むようにしてもよい。
【００６８】
ステップ３０２：制御部２２は、不図示のメモリに読み込んだ撮影画像（合成対象画像）のそれぞれに対して位置合わせ処理を施す。なお、位置合わせ処理には、例えば、従来技術の「特開２００６−３３０６２号公報」などで開示された手法を利用することができる。これにより、複数の合成対象画像間における被写体の画像座標上の位置ずれが補正されて、正確に画像合成が行えるようになる。
【００６９】
ステップ３０３：制御部２２は、画像合成の条件を設定する。例えば、図７の例のように、被写体のフィルター効果が最も大きくなるように画像合成を行う場合、画像合成の条件は以下のように設定する。
【００７０】
先ず、制御部２２は、不図示のメモリに読み込んだ合成対象画像（位置合わせ処理後の合成対象画像）の中から、被写体のフィルター効果が最も大きい画像を識別して選択する。図７の例では、被写体Ａのフィルター効果が最も大きい合成対象画像ｉ（フィルター１７の回転量＝０度）と、被写体Ｂのフィルター効果が最も大きい合成対象画像ｊ（フィルター１７の回転量＝３０度）と、被写体Ｃのフィルター効果が最も大きい合成対象画像ｋ（フィルター１７の回転量＝６０度）との３枚の合成対象画像が選択されている。
【００７１】
なお、ここでの識別は、基本的にユーザーに行わせるものであるが、自動的に識別することが可能な場合には制御部２２が行うようにしてもよい。また、識別をユーザーに行わせる場合には、上記ステップ１０７で説明したのと同様の方法により識別させるとよい。
【００７２】
次に、制御部２２は、選択した各合成対象画像の画像領域中から合成に使用する領域を抽出して選択する。図７の例では、合成対象画像ｉ中の被写体Ａの領域と、合成対象画像ｊ中の被写体Ｂの領域と、合成対象画像ｋ中の被写体Ｃの領域とが選択されている。
【００７３】
なお、合成に使用する領域の抽出および選択は、ユーザーにＧＵＩ画面などを通して行わせてもよく、制御部２２が自動的に行うようにしてもよい。制御部２２が自動的に行う場合、例えば、被写体領域の抽出および選択には、従来技術の「特開２００６−１５５０９６号公報」などで開示された手法を利用することができる。
【００７４】
そして、制御部２２は、このように選択した内容を画像合成の条件として設定する。
【００７５】
ステップ３０４：制御部２２は、設定した条件に基づき画像合成を行う。
【００７６】
例えば、図７の例では、合成対象画像ｉ中の被写体Ａの領域と、合成対象画像ｊ中の被写体Ｂの領域と、合成対象画像ｋ中の被写体Ｃの領域とが画像合成されて、被写体のフィルター効果が最も大きい合成画像ｌが生成される。ここで、合成画像ｌの背景領域には、それが最も良く写った合成対象画像、例えば合成対象画像ｊ（フィルター１７の回転量＝３０度）がそうであると仮定した場合、合成対象画像ｊ中の背景領域が使用されて、画像合成が行われる。なお、背景領域の抽出および選択には、前記ステップ３０３で挙げた従来技術の手法を利用することができる。
【００７７】
画像合成により生成された合成画像（図７の例では、合成画像ｌ）は、不図示のメモリに記録される。
【００７８】
一般に、複数の被写体が写る画像を撮影する場合には、全ての被写体に最適なフィルター効果が出るように撮影することはできないが、このような画像合成を行うことにより、全ての被写体が最適なフィルター効果を有する画像を生成することができる。
【００７９】
ステップ３０５：制御部２２は、画像処理部２０を駆動して、不図示のメモリの合成画像（図７の例では、合成画像ｌ）に対して必要な画像処理を施すと共に、モニタ２３を駆動して、画像処理後の合成画像をＬＣＤモニタ等に表示させる。これにより、ユーザーは、合成画像の出来映えを確認することができる。
【００８０】
ステップ３０６：制御部２２は、画像合成に係る処理を終了するか否かをユーザーに指示させる。なお、その指示は、ユーザーに、例えばＧＵＩ画面などを通して行わせる。
【００８１】
ユーザーが終了を指示した場合、制御部２２はステップ３０７へ移行する。一方、終了しないことを指示した場合、制御部２２はステップ３０３へ移行して、上記の画像合成に係る処理を繰り返す。
【００８２】
ステップ３０７：制御部２２は、圧縮／復号部２１を駆動して、不図示のメモリの合成画像（図７の例では、合成画像ｌ）の画像データに対して圧縮処理を施させる。そして、制御部２２は、圧縮処理後の合成画像を記録媒体２４へ記録する。
【００８３】
なお、上記では、画像合成に係る処理の一例として、被写体のフィルター効果が最も大きくなるように画像合成を行う場合の例を図７を用いて説明したが、これ以外にも、例えば、図８に示すような内容の画像合成を行ってもよい。
【００８４】
図８は、図５のフィルター撮影により複数枚の撮影画像が取得された後で、それら複数枚の撮影画像とは異なるフィルター効果を有する画像を生成するように画像合成を行う場合の例である。
【００８５】
この図８の内容の画像合成を行う場合には、上記ステップ３０３および３０４において以下の処理を行うようにする。
【００８６】
ステップ３０３：制御部２２は、画像合成の条件を以下のように設定する。
【００８７】
制御部２２は、不図示のメモリに読み込んだ合成対象画像（位置合わせ処理後の合成対象画像）の中から２枚の画像（合成対象画像ｐおよび合成対象画像ｑ）を選択する。
【００８８】
なお、合成対象画像ｐと合成対象画像ｑとはフィルター効果の度合いが２段階異なったものである。つまり、フィルター１７が、例えば、０度、３０度、６０度、９０度の回転量で回転させることにより撮影画像に対するフィルター効果の度合いを４段階に変化させることが可能なフィルターであれば、合成対象画像ｐと合成対象画像ｑとは、例えば、０度と６０度との回転量で撮影されたものである（図８）。
【００８９】
また、それら２枚の画像の選択は、基本的にユーザーに行わせるものであるが、自動的に選択することが可能な場合には制御部２２が行うようにしてもよい。
【００９０】
制御部２２は、このように選択した内容を画像合成の条件として設定する。
【００９１】
ステップ３０４：制御部２２は、設定した条件に基づき画像合成を行う。
【００９２】
図８を用いて具体的に説明すると、制御部２２は、「フィルター１７の回転量（以下、単に、回転量とする）＝０度」の合成対象画像ｐと「回転量＝６０度」の合成対象画像ｑとを画像合成して、それら２枚の合成対象画像とは異なるフィルター効果を有する「回転量＝３０度」の合成画像ｒを生成する。詳述すれば、制御部２２は、合成対象画像ｑ（回転量＝６０度）と合成対象画像ｐ（回転量＝０度）との画像信号の差分値を算出し、その差分値の「回転量＝３０度」に応じた値を合成対象画像ｐの画像信号に対して加えることによって合成画像ｒを生成する。
【００９３】
画像合成により生成された合成画像（図８の例では、合成画像ｒ）は、不図示のメモリに記録される。
【００９４】
このような画像合成を行うことにより、所望のフィルター効果の撮影画像が取得されていない場合にも、それとはフィルター効果が異なる他の２枚の撮影画像から所望のフィルター効果を有する画像を生成することができる。
【００９５】
なお、上記では、画像合成に使用する撮影画像の数を２枚としたが、その数はこれに限定されない。即ち、３枚以上の撮影画像を使用してもよい。
【００９６】
（第２実施形態の作用効果）
以上、第２実施形態のデジタルカメラでは、フィルター効果が異なる複数枚の撮影画像が取得され、それら複数枚の撮影画像の中から被写体のフィルター効果が最も大きいものが合成対象画像として選択される。そして、選択された各合成対象画像中の被写体の領域が抽出されて、それら被写体の領域が画像合成される。この場合、画像合成により取得される合成画像は、全ての被写体が最適なフィルター効果を有する画像となる。
【００９７】
また、第２実施形態のデジタルカメラでは、所望のフィルター効果を有した画像が取得されていない場合にも、その所望する画像が、複数枚の撮影画像を基に画像合成される。
【００９８】
したがって、第２実施形態のデジタルカメラによれば、フィルターの効果が最も大きい画像を確実に取得することが可能になる。
【００９９】
（第３実施形態）
以下、本発明の第３実施形態を説明する。本実施形態も、デジタルカメラの実施形態である。なお、以下の説明では、第１実施形態と共通するデジタルカメラの構成要素については同一符号を付して重複説明を省略する。
【０１００】
第１実施形態では、フィルター撮影を実施するときに図４のフローを実行したが、第３実施形態では、図９のフローを実行する。
【０１０１】
以下、図９の流れ図を参照して、本実施形態のデジタルカメラが行うフィルター撮影の動作を説明する。図９のフローは、例えば、ユーザーがデジタルカメラのモードを「フィルター撮影モード」に設定した場合に実行される。
【０１０２】
ステップ４０１：制御部２２は、フィルター駆動部１８を駆動して、フィルター１７を撮影光路に挿入した状態に制御すると共に、フィルター効果が所定の度合いとなる回転量（例えば、６０度など）とするようにフィルター１７の回転を制御する。
【０１０３】
ステップ４０２：制御部２２は、レリーズ釦が全押しされたか否かを判別し、全押しされた場合はステップ４０３へ移行する（Ｙｅｓ側）。一方、全押しされていない場合には、制御部２２は本ステップ４０２の処理を繰り返す（Ｎｏ側）。
【０１０４】
ステップ４０３：制御部２２は、不図示の測光部が算出した評価値に基づき決定した撮影条件の下で撮影（第１撮影）を行う。この撮影により取得された撮影画像（第１撮影画像）の画像データはバッファメモリ１９に記録される。
【０１０５】
ステップ４０４：制御部２２は、フィルター駆動部１８を駆動して、フィルター１７を撮影光路から抜出した状態に制御する。
【０１０６】
ステップ４０５：制御部２２は、不図示の測光部が算出した評価値に基づき決定した撮影条件の下で撮影（第２撮影）を行う。この撮影により取得された撮影画像（第２撮影画像）の画像データはバッファメモリ１９に記録される。なお、この記録の際、第２撮影画像は、第１撮影画像とは別の領域に記録される。
【０１０７】
ステップ４０６：制御部２２は、バッファメモリ１９の第１撮影画像と第２撮影画像とに対して位置合わせ処理を施す。
【０１０８】
ステップ４０７：制御部２２は、バッファメモリ１９の第１撮影画像と第２撮影画像とを使用して画像合成を行う。
【０１０９】
例えば、フィルター１７に任意の分光透過率を有するフィルターを用いた場合には、第１撮影画像には、撮像素子１４が持つ本来のＲ、Ｇ、Ｂとは異なる分光感度によって撮影された画像データが記録される。なぜならば、第１撮影画像は、撮影光路にフィルター１７が挿入された状態で撮影されるため、撮像素子１４が持つ本来の分光感度が異なるものに変化させられているからである。
【０１１０】
一方、フィルター１７が撮影光路から抜出された状態で撮影された第２撮影画像には、撮像素子１４が持つ本来のＲ、Ｇ、Ｂの分光感度によって撮影された画像データが記録される。
【０１１１】
これらを使用して画像合成を行えば、第２撮影画像（フィルター無し）により表されるＲ、Ｇ、Ｂの３色と、第１撮影画像（フィルター有り）により表される第２撮影画像とは異なる３色と、即ち合計６色（６バンド）の情報を基に合成画像を生成することができるので、色がよりリアルに再現された合成画像を取得することができる。
【０１１２】
なお、この画像合成により生成された合成画像は不図示のメモリに記録される。
【０１１３】
画像合成の後、制御部２２は、画像処理部２０を駆動して、不図示のメモリの合成画像に対し、必要な画像処理を施す。
【０１１４】
ステップ４０８：制御部２２は、モニタ２３を駆動して、画像処理後の合成画像をＬＣＤモニタ等に表示させる。これにより、ユーザーは、合成画像の出来映えを確認することができる。
【０１１５】
ステップ４０９：制御部２２は、圧縮／復号部２１を駆動して、不図示のメモリの合成画像に対して圧縮処理を施させる。そして、制御部２２は、圧縮処理後の合成画像を記録媒体２４へ記録する。
【０１１６】
（第３実施形態の作用効果）
以上、第３実施形態のデジタルカメラでは、フィルター１７が撮影光路に挿入された状態で第１撮影が行われ、またフィルター１７が撮影光路から抜出された状態で第２撮影が行われる。そして、それらの撮影により取得された第１撮影画像と第２撮影画像とを使用して画像合成が行われる。
【０１１７】
例えば、フィルター１７に任意の分光透過率を有するフィルターを用いた場合、画像合成により取得される合成画像は、色がよりリアルに再現されたものとなる。
【０１１８】
したがって、第３実施形態のデジタルカメラによれば、フィルターの効果が最も大きい画像を確実に取得することが可能になる。
【０１１９】
（その他）
なお、上述した第１実施形態〜第３実施形態のデジタルカメラの動作に係るプログラム（特に、図６のフローなど）は、その一部または全部をコンピュータなどの外部処理装置に実行させてもよい。その場合、必要なプログラムがＣＤ−ＲＯＭ等のコンピュータ読み取り可能な記憶媒体やインターネット等の通信網などを介して外部処理装置へインストールされる。
【図面の簡単な説明】
【０１２０】
【図１】本発明に係るデジタルカメラのブロック図である。
【図２】フィルター１７が撮影光路に挿入された状態を示す図である。
【図３】フィルター１７が撮影光路から抜出された状態を示す図である。
【図４】第１実施形態のデジタルカメラのフィルター撮影の動作を示す流れ図である。
【図５】第２実施形態のデジタルカメラのフィルター撮影の動作を示す流れ図である。
【図６】第２実施形態のデジタルカメラの画像合成の動作を示す流れ図である。
【図７】画像合成（被写体のフィルター効果を最も大きくする）のイメージ図である。
【図８】画像合成（異なるフィルター効果の画像を生成する）のイメージ図である。
【図９】第３実施形態のデジタルカメラのフィルター撮影の動作を示す流れ図である。
【符号の説明】
【０１２１】
１１…撮影レンズ，１２…レンズ駆動部，１３…絞り，１４…撮像素子，１５…アナログ信号処理部，１６…タイミングジェネレータ（ＴＧ），１７…フィルター，１８…フィルター駆動部，１９…バッファメモリ，２０…画像処理部，２１…圧縮／復号部，２２…制御部，２３…モニタ，２４…記録媒体，２５…操作部，２６…バス
【図１】
2009232347.tif 000003
【図２】
2009232347.tif 000004
【図３】
2009232347.tif 000005
【図４】
2009232347.tif 000006
【図５】
2009232347.tif 000007
【図６】
2009232347.tif 000008
【図７】
2009232347.tif 000009
【図８】
2009232347.tif 000010
【図９】
2009232347.tif 000011